(57)【要約】本発明は、道具の柄部または可動構造の管部に装着可能であり、ハンドルまたは構造に固着するための手段を備える把持器具に関する。この把持装置は、半円筒形の溝形状を有するとともに柄部または管部を囲繞できる、道具または構造の管部に固着するための本体と、本体を固着するための手段を一端部に、アームを収容するための管部を他端部に収容する接続要素と、少なくとも一つのハンドルまたはその自由端部に設けられたアームと、を有する。
2010524516.tif 000002
【特許請求の範囲】
【請求項１】
道具のハンドルまたは可動構造の管部に適応可能であるとともに前記ハンドルを前記構造に固定するための手段を備える道具用補助ハンドルであって、
半円筒形の溝形状（１１）を有するとともに、ハンドルまたは管部を囲むように配置可能である、前記道具または前記構造の管部に固定するための本体（４）と、
一方の端部に前記本体（４）を固定する手段を形成し、他端部にアーム（１）を収容するための管部を形成する連結支持体（１４）と、
少なくとも一つのグリップ（２，３）を自由端部に設けたアーム（１）と、を有することを特徴とする道具用補助ハンドル。
【請求項２】
前記本体（４）が、ねじ（５）を収容可能な孔を端部の中央に設けた隆起延出部（１０）を有することを特徴とする、請求項１に記載の道具用補助ハンドル。
【請求項３】
前記連結支持体（１４）が底部に部分的管形輪郭を有することにより、固着される前記道具の前記管部またはハンドルへ結合可能であることを特徴とする、請求項１または２に記載の道具用補助ハンドル。
【請求項４】
前記連結支持体が、前記本体（４）の前記隆起延出部（１０）の孔と組み立てられた時に一致する貫通孔（１５）を有することにより、両部品がねじ（５）および対応のナット（１４）により固定されることを特徴とする、請求項２または３に記載の道具用補助ハンドル。
【請求項５】
前記アーム（１）を収容する前記連結支持体（１４）の前記円筒形部分が、前記円筒形部分が装着される前記ハンドルまたは管部に対して４５°〜６０°の角度をなすことを特徴とする、請求項１〜４のいずれかに記載の道具用補助ハンドル。
【請求項６】
前記アーム（１）を前記連結支持体（１４）に固定するためのクランプ（９）をも備えることを特徴とする、請求項１に記載の道具用補助ハンドル。
【請求項７】
前記クランプが、ナット（１３）の作用でねじ（１２）を通すことができる孔を端部に含み、前記ねじの頭部が、前記ねじ（１２）に垂直な軸に屈曲したカムを備えることを特徴とする、請求項１に記載の道具用補助ハンドル。
【請求項８】
前記アーム（１）と結合するための前記連結支持体（１４）の前記管形部分に、前記クランプ（９）により押圧される切込み（８）が形成されることを特徴とする、請求項５と、請求項６および７のいずれかに記載の道具用補助ハンドル。
【請求項９】
前記ハンドルの端部が、閉口フォークの形状の中央グリップ（２）を有することを特徴とする、請求項１〜８のいずれかに記載の道具用補助ハンドル。
【請求項１０】
前記ハンドルが、側方延出部または対称グリップ（３）を、少なくとも一つ、好ましくは二つ有することを特徴とする、請求項９に記載の道具用補助ハンドル。
【請求項１１】
前記側方延出部または対称グリップ（３）が、前記アームの端部に向かう方向に、前記アーム（１）に対して約４５°の角度を形成するように配置されることを特徴とする、請求項１０に記載の道具用補助ハンドル。
【発明の詳細な説明】
【技術分野】
【０００１】
本発明は、多数のグリップと、装着される道具の本体に結合するための単一アームと、を備えるとともに、手で操作される広範囲の道具、製品、物品への取付けを可能にする固着器具を有する補助ハンドルに関する。このハンドルは、類似の目的を有する他の既存の器具に対して重要な長所が多く得られるように考案、製作されている。
【背景技術】
【０００２】
道具の使用法は、それが備えるユーザ把持手段に左右される。例えば鋤は、通常は「Ｔ」または閉口フォーク（closed fork）の形状の、ハンドルを端部とする長手方向の柄部を有する。ユーザは必然的に、ハンドルともう片方の手とにより道具を保持しなければならない。一輪車など他の例においては、ハンドルはユーザの指で保持する必要がある直線状グリップである。
【０００３】
従来のハンドルまたはグリップを使用すると、ユーザは必ずしも健康的とは言えないような姿勢を取ることを強いられる。これは最適な能率以外のもの、すなわち過度の疲労、道具の使用により生じる特殊な体調不良の原因となる。
【０００４】
ある種の製品は、限られた範囲の道具のみに装着されるハンドルとして知られている。
【０００５】
これらのハンドルについて生じる主な問題の一つは、このようなハンドルはアーム、拍車状分岐部、延出ハンドルを有していないので、理想的な作業位置（通常、ハンドルが装着される道具に近い前方位置だろう）で道具のハンドルに装着されると、ユーザは背中が曲がった状態で作業しなければならないことである。
【０００６】
その一方、背中がもっと真っ直ぐになるようにハンドルがさらに後方の位置に装着される場合には、把持ゾーンが作業道具の把持ゾーンから離れるので、ユーザの労力はてこの原理により何倍にもなるだろう。
【０００７】
このタイプのハンドルの別の短所は、所定の位置にグリップが装着されるとともに握り部が一つのみであるため、道具に本来適する通常の仕事または動作ができなくなり、ユーザが立っている側とは鋤に対して反対側へ、鋤によって荷を投げたり動かしたりなどの動作を制限、阻害することである。
【０００８】
特許文献１は、主ハンドルと副ハンドルとを含む、手作業道具のための人間工学的ハンドルを開示している。主ハンドルが前腕用の支持体と握り部とを、副ハンドルが閉口フォークグリップを備え、副ハンドルは主ハンドルに対してある角度をなして設けられている。
【０００９】
特許文献２は、道具の主ハンドルに装着可能な二つのタイプの補助グリップを含む、人間工学的ハンドルの一式を開示している。第１タイプが閉口フォークであり、他が前腕のための支持体と手のための支持体とを含む。
【００１０】
特許文献３は、鋤の底端部に結合される「Ｕ」字形本体を備えた、鋤のための調節および着脱が可能な補助ハンドルを開示している。これは、伸縮が可能であるとともに基部に対して回転可能である長尺部材のための結合部を含む。
【００１１】
他の発明は、手作業道具に固着されるか固着可能である補助ハンドルを開示している。
【００１２】
特許文献４は、調節可能な補助管部を備える道具を示している。これにより地面に道具を支持して土運搬作業を容易にすることができる。
【００１３】
特許文献５は、前部での道具の把持しやすくするように道具が変形して、従来の直線状ハンドルと比べてユーザに近い位置に中央グリップが設けられる道具を開示している。
【００１４】
特許文献６は、上述した文献に記載された物品と類似した目的を持つ、一方は道具または用具から分離するための、他方はほぼ真っ直ぐである二つの区分で形成されたハンドルを提示している。
【００１５】
特許文献７は、ハンドルの接続端部の付近で屈曲する補助ロッドと、追加位置からの道具の保持を可能にする延出および回転が可能な対応の道具と、を備える道具を示している。
【００１６】
特許文献８は、装着後に固着延出位置となる、主ハンドルへの固定が可能な追加ハンドルを有する道具に言及している。
【００１７】
特許文献９も、道具との接続のため基部で主ハンドルに保持された補助ハンドルと、移動、回転、屈曲を阻止する固定部分と、を備える道具を開示している。
【００１８】
これらの先例のいくつかは可動でないという問題を抱えるため、補助ハンドルを備えない道具に対してあまり人間工学的な改良となっていない。
【００１９】
他の例では、可動性ゆえに把持が可能でないため、二つのグリップを組み合わせて使用することで道具の操作が行われる。特許文献３の例では、その固着と調整の両方が複雑さを伴うため、対応する手作業の動きを実施するのには有用でないことが分かっている。
【００２０】
さらに、いかなる例においても、調節可能ハンドルが側方突出部を備える閉口中央グリップを有していない。
【００２１】
装着対象の道具が、道具に課せられる広範囲の仕事を実施するように設計および意図された物であるという事実のため、道具とそのハンドル、そして道具に装着される補助ハンドルは、非常に広範囲のねじれ、圧縮、曲げ、てこ応力などを受ける。そのため、リンク、結合部、延出部を備えるアームまたは拍車状分岐部は、多数の部品が緩み、調節がうまく行かなくなって破損を起こす可能性があり、わずか数時間使用した後には完全に役に立たなくなって実用性を失ってしまう。
【００２２】
このタイプのハンドルでは、床とほぼ閉口な位置に装着されることと、グリップが一つであることにより、本来は適している道具のある種の仕事または通常の動きが可能ではなくなる。ユーザが立っている側と鋤に対して反対側に鋤で荷を投げるか動かすといった動きを制限、阻害することになる。
【００２３】
上の段落で言及したハンドルはすべて、数本のねじまたはリベット、細いタブなどを備える小型のクランプで構成された、道具に適した固定システムを有する。これらには、ねじ、リベット、タブ、プレートが多数であるため着脱が困難で極めて時間を要するという短所がある。通常、たいてい木製である道具ハンドルに適応させることにより、これらに傷を付けて破損させるという短所もある。
【００２４】
上記のハンドル全てが必然的に伴う別の欠点は、多数のねじ、プレート、タブで構成される固着システムが複雑で面倒な性質であるため、他の道具に装着するために短時間で取り外して交換することが困難だということである。
【００２５】
上で説明したハンドルは全て少数の道具のために設計されており、あまり多用途ではない。つまり、鋤や園芸道具を別にして他の道具または物品に適していないという短所も有している。
【先行技術文献】
【特許文献】
【００２６】
【特許文献１】スペイン国実用新案第１０６２０２０号
【特許文献２】スペイン国実用新案第１０６３２１２号
【特許文献３】カナダ国特許第２２７５０３９号
【特許文献４】米国特許第４８８１３３２号
【特許文献５】特開２００６−２７４５３４号公報
【特許文献６】特開２００２−２２０８４９号公報
【特許文献７】特開平１０−３３１１８２号公報
【特許文献８】特開平９−１７０２４３号公報
【特許文献９】独国特許第１０５５７０５０号
【発明の概要】
【課題を解決するための手段】
【００２７】
本発明によるハンドルを使用することにより、先例と異なり、ユーザは、より良好な把持およびより適切な位置等の長所を得ることができる。こうして個人個人の能率を最適化し、少ない労力でより多くの作業を行うことができ、関連の道具で作業をしなければならない人の疲労を軽減し、道具に対する人の位置を良くすることで人間工学的な改善を図る。これにより、短時間または長期にわたる体調不良が回避される。
【００２８】
ここで提示する発明は、多数のグリップを有しており、単一のアームと、直径が１５〜５０ｍｍの少なくとも１本の柄部を備える物品に取り付けられる係止システムと、を備え、手で使用する必要がある市販の道具、用具、様々な物品に適用可能である道具用の補助ハンドルで構成される。このハンドルは、回転および角度の調整と、取り付けられる物品に対するロックが可能である。
【図面の簡単な説明】
【００２９】
【図１】本発明による道具用補助ハンドルの概略正面図を示す。
【図２】組立部品が分解された、図１のハンドルの概略斜視図を示す。
【図３】本発明のハンドルが一輪車に適用された状態の斜視図を示す。
【図４】塗料ローラへのハンドルの適用を示す。
【図５】フックへの本発明によるハンドルの適用を示す。
【図６】ホースノズルに適用された本発明のハンドルを示す。
【図７】掃除ブラシに適用された前の図によるハンドルを示す。
【図８】手押し車への本発明のハンドルの適用を示す。
【図９】台車への本発明のハンドルの適用を示す。
【図１０】自動車被牽引車へのハンドルの適用を示す。
【発明を実施するための形態】
【００３０】
以下の説明を分かりやすくするため、本明細書に計６枚の図面を添付する。図面中、１０枚の図は本発明の特質を示す。
【００３１】
本発明は道具用補助ハンドルにより構成され、一組のグリップ２，３と、ハンドルを固着するべき道具にハンドルを固定するための器具４と、道具に固着するための器具を有するグリップのためのアーム１または長尺接続体と、アーム１または長尺体を固定器具４に対して結合する手段と、アーム１または長尺体を道具の固定器具４に対して固定するための手段と、を有する。この手段により固着回転位置をとることができる。
【００３２】
本発明によるハンドルは、半円筒形の内側溝部１１を形成する本体４を有する。この本体４は、鋼板等の若干の弾性を備える材料で製作される。溝部１１は、可動構造の管部または道具のハンドルを包囲することが可能であり（図３〜１０）、道具を分解する必要なく装着可能である。中央部において本体４は、ねじ５を収容できる孔をそれぞれ備える隆起延出部１０を有する。
【００３３】
対応する道具の管部またはハンドルの周囲に本体４を装着した後、連結支持体１４が本体に装着される。これは、道具の管部またはハンドルに結合されるように、底部に（本体４との結合により）部分的に管形の輪郭を有する。結支持体は、本体４の隆起延出部１０の孔と一致するように形成された貫通孔１５を構成する。この位置において、ねじ５はこれらの孔および孔１５を貫通して、対応のナット１６により反対側で締結される。
【００３４】
アーム１を収容する連結支持体１４の円筒部は、組立位置において、本体４、ひいてはこれが適用される道具の柄部、管部、ハンドルの方向に対して適当な角度を有する。この角度は４５°〜６０°の値であることが好ましい。
【００３５】
連結支持体の外側部は管形であり、クランプ９により押圧可能な切込み８を備える。連結支持体４のエッジの周囲にクランプが適切に載置された後で、グリップ２，３で構成されるアーム１が、連結支持体を形成する管部へ挿入される。
【００３６】
アーム１を連結支持体４に対して適切にかつ都合よく固定するため、クランプ６は、対応のナット１３に作用する固定ねじ１２により結合される端部に孔を有する。このねじに接続されるカムを用いることによって固定は手作業で行われ、ねじ１２はカムによってナット１３の作用に反して自由に回転する。こうして、ねじ１２の軸に垂直な軸の回転によりタブ７が接近することによってこのねじを締め付けて、連結支持体４の上方管部、ひいてはハンドルのアーム１の自由端部に対して、クランプ９をしっかりと締結することができる。
【００３７】
ハンドルは中央柄部をも含み、これは、閉口フォーク２と、少なくとも一つの、好ましくは二つの延出部または側方グリップ３と、を有する。中央柄部と側方グリップはともに単独で、または組合せて使用可能である。
【００３８】
そのためハンドルは、固着されていない限りは、長手軸に対してアームを自由に回転させることが可能である。グリップは、３６０°までの回転位置を取ることができ、すなわち一回転することができるため、ユーザのニーズに充分に適応できる。
【００３９】
これは、いかなる位置または角度からも、いかなる種類の作業または動きのためでも、使用者が道具を把持および位置決めするのに役立つ。
【００４０】
側方グリップは、アーム１に対してアームの端部に向かう方向に約４５°で配置されることが好ましい。
【００４１】
本発明によるアームおよびグリップは、屈曲部、結合部、ピン、ねじ、延出部を含まない単一の部品で製作される。この事実のため、２本のねじの不適切な締結による以外に緩みが発生する可能性は非常に低く、この緩みはねじの締結によって解決される。
【００４２】
これらの理由から、本発明は手で操作される市販の多数の道具、物品、製品への装着のための準備と交換が、短時間かつ非常に簡単な方法で可能であるという多くの長所を有する。図３から１０に示されているものはそのうちのいくつかであり、いかなる限定にも当たらない。
【００４３】
構造強度を備えることによって、破損と劣化の危険を最小にできる。
【００４４】
道具についての言及は、移動または使用のための少なくとも一つの把持ハンドルが装着されるかこのハンドルを使用するあらゆる種類の装置、機械、用具、道具を含むものと理解されたい。
【００４５】
これは、道具用の補助グリップの製作への適用を目的とする。
【図１】
2010524516.tif 000003
【図２】
2010524516.tif 000004
【図３】
2010524516.tif 000005
【図４】
2010524516.tif 000006
【図５】
2010524516.tif 000007
【図６】
2010524516.tif 000008
【図７】
2010524516.tif 000009
【図８】
2010524516.tif 000010
【図９】
2010524516.tif 000011
【手続補正書】
【提出日】平成21年12月8日(2009.12.8)
【手続補正１】
【補正対象書類名】明細書
【補正対象項目名】００１７
【補正方法】変更
【補正の内容】
【００１７】
特許文献９も、道具との接続のため基部で主ハンドルに保持された補助ハンドルと、移動、回転、屈曲を阻止する固定部分と、を備える道具を開示している。
特許文献１０は、補助ハンドルを備えた手で持つ道具を開示している。この道具は、主ハンドルを支持する管と自由端部における補助ハンドルを有する管との間の接続ピースを備えている。
【手続補正２】
【補正対象書類名】明細書
【補正対象項目名】００２６
【補正方法】変更
【補正の内容】
【００２６】
【特許文献１】スペイン国実用新案第１０６２０２０号
【特許文献２】スペイン国実用新案第１０６３２１２号
【特許文献３】カナダ国特許第２２７５０３９号
【特許文献４】米国特許第４８８１３３２号
【特許文献５】特開２００６−２７４５３４号公報
【特許文献６】特開２００２−２２０８４９号公報
【特許文献７】特開１０−３３１１８２号公報
【特許文献８】特開平９−１７０２４３号公報
【特許文献９】独国特許第１０５５７０５０号
【特許文献１０】仏国特許出願公開第０９４８８６０号
【手続補正３】
【補正対象書類名】明細書
【補正対象項目名】００２９
【補正方法】変更
【補正の内容】
【００２９】
【図１】本発明による道具用補助ハンドルの概略正面図を示す。
【図２】組立部品が分解された、図１のハンドルの概略斜視図を示す。
【図３】本発明のハンドルが一輪車に適用された状態の斜視図を示す。
【図４】塗料ローラへのハンドルの適用を示す。
【図５】フックへの本発明によるハンドルの適用を示す。
【図６】ホースノズルに適用された本発明のハンドルを示す。
【図７】掃除ブラシに適用された前の図によるハンドルを示す。
【図８】手押し車への本発明のハンドルの適用を示す。
【図９】台車への本発明のハンドルの適用を示す。
【手続補正４】
【補正対象書類名】明細書
【補正対象項目名】００３０
【補正方法】変更
【補正の内容】
【００３０】
以下の説明を分かりやすくするため、本明細書に計５枚の図面を添付する。図面中、９枚の図は本発明の特質を示す。
【手続補正５】
【補正対象書類名】特許請求の範囲
【補正対象項目名】全文
【補正方法】変更
【補正の内容】
【特許請求の範囲】
【請求項１】
道具のハンドルまたは可動構造の管部に適応可能であるとともに前記ハンドルを前記構造に固定するための手段を備える道具用補助ハンドルであって、
半円筒形の溝形状（１１）を有するとともに、ハンドルまたは管部を囲むように配置可能である、前記道具または前記構造の管部に固定するための本体（４）と、
一方の端部に前記本体（４）を固定する手段を形成し、他端部にアーム（１）を収容するための管部を形成する連結支持体（１４）と、
対称に配置された二つの側方グリップ（３）を自由端部に備えるアーム（１）と、を有し、
前記側方グリップ（３）が、前記側方グリップ（３）が配置された前記端部に向かう方向に、前記アームに対して約４５°の角度を形成することを特徴とする道具用補助ハンドル。
【請求項２】
前記ハンドルの前記端部が、閉口フォークの形状の中央握り部（２）を含むことを特徴とする、請求項１に記載の道具用補助ハンドル。
【請求項３】
前記本体（４）が、ねじ（５）を収容可能な孔を端部の中央に設けた隆起延出部（１０）を有することを特徴とする、請求項１または２に記載の道具用補助ハンドル。
【請求項４】
前記連結支持体（１４）が底部に部分的管形輪郭を有することにより、固着される前記道具の前記管部またはハンドルへ結合可能であることを特徴とする、請求項１〜３のいずれかに記載の道具用補助ハンドル。
【請求項５】
前記連結支持体が、前記本体（４）の前記隆起延出部（１０）の孔と組み立てられた時に一致する貫通孔（１５）を有することにより、両部品がねじ（５）および対応のナット（１３）により固定されることを特徴とする、請求項３または４に記載の道具用補助ハンドル。
【請求項６】
前記アーム（１）を収容する前記連結支持体（１４）の前記円筒形部分が、前記円筒形部分が装着される前記ハンドルまたは管部に対して４５°〜６０°の角度をなすことを特徴とする、請求項１〜５のいずれかに記載の道具用補助ハンドル。
【請求項７】
前記アーム（１）を前記連結支持体（１４）に固定するためのクランプ（９）をも備えることを特徴とする、請求項１に記載の道具用補助ハンドル。
【請求項８】
前記クランプが、ナット（１３）の作用でねじ（１２）を通すことができる孔を端部に含み、前記ねじの頭部が、前記ねじ（１２）に垂直な軸に屈曲したカムを備えることを特徴とする、請求項１に記載の道具用補助ハンドル。
【請求項９】
前記アーム（１）と結合するための前記連結支持体（１４）の前記管形部分に、前記クランプ（９）により押圧される切込み（８）が形成されることを特徴とする、請求項６と、請求項７および８のいずれかに記載の道具用補助ハンドル。
【国際調査報告】
2010524516.tif 000012
2010524516.tif 000013
2010524516.tif 000014
2010524516.tif 000015
2010524516.tif 000016
2010524516.tif 000017